(57)【要約】【課題】簡易な室内換気方法でありながら、室内の温熱環境を乱すことなく室内換気を行うことができ、省エネ効果もある室内換気システムを提供することを課題とする。【解決手段】家屋の１フロアーをブロック分けし、各ブロックＡ、Ｂに一対の排気装置１、２を設置し、前記一対の排気装置１、２を交互に稼働させる。前記排気装置１、２は、一端に室外側フード３を取り付け、他端に室内側フード４を取り付けた筒体５と、前記筒体５内に配備されるファン６及びセラミック製の熱交換エレメント７とから成る。【選択図】図１
2013242108.tif 000002
【特許請求の範囲】
【請求項１】
家屋の１フロアーをブロック分けし、各ブロックに、筒体部分に熱交換エレメントを内蔵した一対の排気装置を離隔させて設置し、前記一対の排気装置を交互に稼働させることを特徴とする室内換気システムである。
【請求項２】
前記排気装置の筒体部分に内蔵される熱交換エレメントは、セラミック製である、請求項１に記載の室内換気システム。
【請求項３】
前記熱交換エレメントは、前記筒体の長さ方向に抜ける多数の通気路を有するものである、請求項２に記載の室内換気システム。
【発明の詳細な説明】
【技術分野】
【０００１】
本発明は室内換気システム、より詳細には、一対の排気装置を用いる省エネ効果の高い室内換気システムに関するものである。
【背景技術】
【０００２】
近年、住宅の省エネルギー対策手法として高断熱・高気密化が進んできている。このように高気密化が進むに伴い、一方において室内の化学物質によるシックハウス症候群等の問題が顕在化してきた。そこで、この問題を解決するために建築基準法の改正がなされ、１時間に０．５回以上の回数の換気、即ち、１時間当たりに部屋の空気の半分以上が入れ替わる換気を実施するための、機械換気システムの設置が義務付けられることとなった。
【０００３】
一般に採用されている簡易な室内換気方法は、外壁を貫いて設置される換気ファンによって給排気を行う方法であるが、この方法を単なる換気ファンを用いて実施する場合は、特に室内外における空気温度差が大きい場合に、室内の温熱環境が乱されるおそれがある。即ち、冬期には室内の暖気が逃げて冷たい外気が流入し、夏期には外部の熱気が室内に流入するおそれがあり、省エネの観点からも好ましくない。
【先行技術文献】
【特許文献】
【０００４】
【特許文献１】特開２００６−３０８１８０号公報
【特許文献２】特開２００７−２８５５６７号公報
【発明の概要】
【発明が解決しようとする課題】
【０００５】
上述したように、従来の簡易な室内換気方法においては、特に室内外における空気温度差が大きい場合に室内の温度環境が乱されるおそれがあり、省エネ上も好ましくないという問題があった。そこで本発明は、そのような問題のない、即ち、簡易な室内換気方法でありながら、室内の温熱環境を乱すことなく室内換気を行うことができ、省エネ効果もある室内換気システムを提供することを課題とする。
【課題を解決するための手段】
【０００６】
上記課題を解決するための請求項１に記載の発明は、家屋の１フロアーをブロック分けし、各ブロックに、筒体部分に熱交換エレメントを内蔵した一対の排気装置を離隔させて設置し、前記一対の排気装置を交互に稼働させることを特徴とする室内換気システムである。
【０００７】
一実施形態においては、前記排気装置の筒体部分に内蔵される熱交換エレメントは、セラミック製とされる。
【発明の効果】
【０００８】
本発明に係る室内換気システムは、家屋の１フロアーをブロック分けし、各ブロックに一対の排気装置を離隔させて設置し、前記一対の排気装置を交互に稼働させるものであり、稼働側の排気装置において排気がなされるに伴い、非稼働側の排気装置を通して外気が自然に引き込まれるようにするため、室内全体に亘る換気が可能となり、また、一対の排気装置を交互に稼働させるため、２台同時稼働の場合に比較して省エネ効果が高く、コスト的に有利となる。
【０００９】
また、排気装置の筒体内に熱交換エレメントが内装されていて、そこを通過する空気に対して熱交換が行われるため、冬期には室内の温まった空気が逃げることが極力防止され、夏期には熱い外気が室内に流入することが極力防止され、以て、室内の温度環境が保持される効果がある。
【図面の簡単な説明】
【００１０】
【図１】本発明に係る換気システムを説明するための概略平面図である。
【図２】本発明に係る換気システムにおいて用いられる排気装置の構成及び使用状態を示す縦断面図である。
【発明を実施するための形態】
【００１１】
本発明に係る換気システムを、添付図面に依拠して説明する。図１は、本発明に係る換気システムを説明するための概略平面図であり、そこに示されるように、本換気システムにおいては、先ず、家屋の１フロアーがブロック分けされる。図示した例では、ブロックＡとブロックＢの２つに分けられており、ブロックＢは２部屋に跨っている。そして、各ブロックＡ、Ｂに、それぞれ一対又は２対の排気装置１、２が設置される。図示した例では、排気装置１、２は、各ブロックＡ、Ｂに１対ずつ設置されている。
【００１２】
本発明に係るシステムにおいて用いられる排気装置１、２は、一端に室外側フード３を取り付け、他端に室内側フード４を取り付けた筒体５と、筒体５内に配備される排気ファン６及び十分な通気性のある熱交換エレメント７とから成る。通例、熱交換エレメント７は熱交換性の良いセラミック製のものとされ、例えば、筒体５の長さ方向に抜ける多数の通気路を有していて、断面が格子状、ハニカム状等を呈するものとされる。あるいは、熱交換エレメント７は、多孔性又はネット状のシートもしくは薄板材を、例えば、波状にしたり螺旋状にしたりする等して立体化して、筒体５内に装填することとしてもよい。排気ファン６は、通例、筒体５内の室内側に配置される。
【００１３】
本発明に係るシステムは、新築家屋の場合だけでなく、既存の家屋に後付け設置することもできることは言うまでもない。対に設置された排気装置１、２は、一定のサイクルで交互に稼働するように制御される。即ち、一方の排気装置１が稼働しているときは他方の排気装置２は停止し、逆に、排気装置２が稼働しているときは排気装置１が停止するように制御される。そして、稼働側の排気装置１（又は２）において排気がなされるに伴い、非稼働側の排気装置２（又は１）を通して外気が自然に引き込まれることにより、換気が行われる。そして、排気装置１が稼働しているときと、排気装置２が稼働しているときとでは、空気の流れ方向が逆になるため、室内全体の空気が動かされることになり、以て、偏りのない室内換気が可能となる。
【００１４】
また、室内外の空気が通流する筒体５内に、蓄熱効果の良いセラミック製の熱交換エレメント７が装填される。これにより、冬期は、室内空気（外気よりも温度が高い）の排気に伴って熱交換エレメント７が温められるため、室内空気よりも温度が低い外気は、室内に給気される際に熱交換エレメント７に触れて温められ、以て、外気が冷たいまま室内に導入されることが防止される。
【００１５】
逆に夏期には、冷房、通風及び日射遮蔽等により外気よりも温度が低くなっている室内空気が排気されるに伴って熱交換エレメント７が冷やされた状態になり、室内空気よりも温度が高い外気は、室内に給気される際に熱交換エレメント７に触れることによりその熱を奪われる。かくして、外気が温かいまま室内に導入されることが防止される。
【００１６】
本発明においてはこのように、熱交換エレメント７の蓄熱効果により、冬期には室内に蓄えられた熱が廃棄されることが防止され、夏期には室外の熱が導入されることにより、室内の温熱環境が換気により乱されることが防止され、以て、室内の温熱環境維持は固より、換気廃熱の補充（冬期）及び給気熱の排熱（夏期）に使用されるエネルギー量の低減化にも資するものである。
【００１７】
なお、一対の排気装置１、２の稼働は一定サイクルで切り替えるが、効率のよい熱交換の観点からすると、好ましくは６５秒乃至７５秒のサイクルとし、より好ましくは、７０秒サイクルとする。
【００１８】
本発明に係る換気システムは、上述したように、対となる排気装置１、２が６５秒乃至７５秒置きに交互に稼働し、それにより、一方の排気装置１から強制排気している間は、非稼働状態の他方の排気装置２を通して自然に外気が導入されるという空気の流れができ、排気装置１、２の逆の稼働下においては、逆方向の空気の流れができ、以て、室内全体に亘る淀みのない換気が可能となる。そして、この作用は、一対の排気装置１、２のうちのいずれか一方のみが稼働することによって達成されるため、２台同時稼働の場合に比べて省エネ効果が高く、また、騒音も少なくなるというメリットがある。
【００１９】
この発明をある程度詳細にその最も好ましい実施形態について説明してきたが、この発明の精神と範囲に反することなしに広範に異なる実施形態を構成することができることは明白である。従って、この発明は、添付請求の範囲において限定した以外はその特定の実施形態に制約されないことは言うまでもない。
【符号の説明】
【００２０】
１    排気装置
２    排気装置
３    室外側フード
４    室内側フード
５    筒体
６    排気ファン
７    熱交換エレメント
【図１】
2013242108.tif 000003
【図２】
2013242108.tif 000004